【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、正の屈折力の第５レンズ群より構成され、フォーカシングに際して隣り合うレンズ群の間隔が変化する光学系であって、
前記第３レンズ群は第１部分群及び第２部分群より構成されており、
無限遠から近距離へのフォーカシングに際して前記第２レンズ群及び前記第４レンズ群は像側へ移動し、
前記第１部分群及び前記第２部分群のいずれか一方は、像ぶれ補正に際して光軸に対して垂直方向の成分を含むように移動する防振群であり、前記防振群の焦点距離をｆｓ、無限遠にフォーカスしているときの全系の焦点距離をｆｉｎｆとするとき、
０．５＜ｆｓ／ｆｉｎｆ＜１．５
なる条件式を満足することを特徴とする光学系。
【請求項２】
前記第３レンズ群の焦点距離をｆ３とするとき、
０．２＜ｆ３／ｆｉｎｆ＜２．０
なる条件式を満足することを特徴とする請求項１に記載の光学系。
【請求項３】
前記第２レンズ群の焦点距離をｆ２とするとき、
−１．０＜ｆ２／ｆｉｎｆ＜−０．２
なる条件式を満足することを特徴とする請求項１または２に記載の光学系。
【請求項４】
前記第４レンズ群の焦点距離をｆ４とするとき、
−１．０＜ｆ４／ｆｉｎｆ＜−０．２
なる条件式を満足することを特徴とする請求項１乃至３のいずれか１項に記載の光学系。 
【請求項５】
無限遠にフォーカスしているときにおける前記第２レンズ群の横倍率をβ２ｉｎｆ、撮影倍率が等倍となる物体距離に合焦しているときにおける前記第２レンズ群の横倍率をβ２ｍｏｄとするとき、
１．０＜β２ｉｎｆ／β２ｍｏｄ＜１０．０
なる条件式を満足することを特徴とする請求項１乃至４のいずれか１項に記載の光学系。 
【請求項６】
無限遠にフォーカスしているときにおける前記第４レンズ群の横倍率をβ４ｉｎｆ、撮影倍率が等倍となる物体距離に合焦しているときにおける前記第４レンズ群の横倍率をβ４ｍｏｄとするとき、
１．０＜β４ｉｎｆ／β４ｍｏｄ＜１０．０
なる条件式を満足することを特徴とする請求項１乃至５のいずれか１項に記載の光学系。 
【請求項７】
前記第１レンズ群の焦点距離をｆ１とするとき、
０．１＜ｆ１／ｆｉｎｆ＜１．０
なる条件式を満足することを特徴とする請求項１乃至６のいずれか１項に記載の光学系。 
【請求項８】
前記第２レンズ群の焦点距離をｆ２、無限遠から至近距離へのフォーカシングに際しての前記第２レンズ群の移動量をｍ２とし、無限遠に合焦しているときと比較して至近距離に合焦しているときに前記第２レンズ群が像側へ移動する場合の前記移動量の符号を正とするとき、
−０．８０＜ｍ２／ｆ２＜−０．２２
なる条件式を満足することを特徴とする請求項１乃至７のいずれか１項に記載の光学系。 
【請求項９】
前記第４レンズ群の焦点距離をｆ４、無限遠から至近距離へのフォーカシングに際しての前記第４レンズ群の移動量をｍ４とし、無限遠に合焦しているときと比較して至近距離に合焦しているときに前記第４レンズ群が像側へ移動する場合の前記移動量の符号を正とするとき、
−０．８０＜ｍ４／ｆ４＜−０．２２
なる条件式を満足することを特徴とする請求項１乃至８のいずれか１項に記載の光学系。 
【請求項１０】
フォーカシングに際して、前記第１レンズ群と前記第３レンズ群は不動であることを特徴とする請求項１乃至９のいずれか１項に記載の光学系。
【請求項１１】
前記第３レンズ群は、物体側から像側へ順に配置された、前記第１部分群、前記第２部分群よりなり、前記第１部分群は１枚の正レンズよりなり、前記第２部分群は正レンズと負レンズを接合した接合レンズよりなることを特徴とする請求項１乃至１０のいずれか１項に記載の光学系。
【請求項１２】
請求項１乃至１１のいずれか１項に記載の光学系と、該光学系によって形成される像を受光する光電変換素子を有することを特徴とする撮像装置。
【手続補正２】
【補正対象書類名】明細書
【補正対象項目名】０００９
【補正方法】変更
【補正の内容】
【０００９】
本発明の光学系は、物体側より像側へ順に配置された、正の屈折力の第１レンズ群、負の屈折力の第２レンズ群、正の屈折力の第３レンズ群、負の屈折力の第４レンズ群、正の屈折力の第５レンズ群より構成され、フォーカシングに際して隣り合うレンズ群の間隔が変化する光学系であって、
前記第３レンズ群は第１部分群及び第２部分群より構成されており、
無限遠から近距離へのフォーカシングに際して前記第２レンズ群及び前記第４レンズ群は像側へ移動し、
前記第１部分群及び前記第２部分群のいずれか一方は、像ぶれ補正に際して光軸に対して垂直方向の成分を含むように移動する防振群であり、前記防振群の焦点距離をｆｓ、無限遠にフォーカスしているときの全系の焦点距離をｆｉｎｆとするとき、
０．５＜ｆｓ／ｆｉｎｆ＜１．５
なる条件式を満足することを特徴としている。
【手続補正３】
【補正対象書類名】明細書
【補正対象項目名】００１２
【補正方法】変更
【補正の内容】
【００１２】
以下に、本発明の光学系及びそれを有する撮像装置について説明する。本発明の光学系は、物体側より像側へ順に配置された、正の屈折力の第１レンズ群、負の屈折力の第２レンズ群、正の屈折力の第３レンズ群、負の屈折力の第４レンズ群、正の屈折力の第５レンズ群より構成されている。フォーカシングに際して隣り合うレンズ群の間隔が変化する。また第３レンズ群は第１部分群及び第２部分群より構成されている。無限遠から近距離へのフォーカシングに際して第２レンズ群及び第４レンズ群は像側へ移動する。第１部分群及び第２部分群のいずれか一方は、像ぶれ補正に際して光軸に対して垂直方向の成分を含むように移動する防振群である。
【手続補正４】
【補正対象書類名】明細書
【補正対象項目名】００１９
【補正方法】変更
【補正の内容】
【００１９】
実施例１において、第３レンズ群Ｌ３は、物体側から像側へ順に配置された、部分群（第１部分群）Ｌ３ａ、部分群（第２部分群）Ｌ３ｂを有する。部分群Ｌ３ａは１枚の正レンズからなる。部分群Ｌ３ｂは正レンズと負レンズを接合した接合レンズからなり、像ぶれ補正に際して光軸に対し垂直方向の成分を含むように移動する防振群である。フォーカシングに際し、第１レンズ群Ｌ１、第３レンズ群Ｌ３、第５レンズ群Ｌ５は不動である。無限遠から近距離へのフォーカシングに際し、第２レンズ群Ｌ２と第４レンズ群Ｌ４が像側へ移動する。
【手続補正５】
【補正対象書類名】明細書
【補正対象項目名】００２１
【補正方法】変更
【補正の内容】
【００２１】
実施例２において、第３レンズ群Ｌ３は、物体側から像側へ順に配置された、部分群（第１部分群）Ｌ３ａ、部分群（第２部分群）Ｌ３ｂを有する。部分群Ｌ３ａは１枚の正レンズからなり、像ぶれ補正に際して光軸に対し垂直方向の成分を含むように移動する防振群である。部分系Ｌ３ｂは正レンズと負レンズを接合した接合レンズよりなる。フォーカシングに際し、第１レンズ群Ｌ１、第３レンズ群Ｌ３は不動である。無限遠から近距離へのフォーカシングに際して第２レンズ群Ｌ２、第４レンズ群Ｌ４は像側へ移動し、第５レンズ群Ｌ５は物体側に凸状の軌跡で移動する。
【手続補正６】
【補正対象書類名】明細書
【補正対象項目名】００２６
【補正方法】変更
【補正の内容】
【００２６】
各実施例において更に好ましくは次の条件式のうち１以上を満足するのが良い。ただし、第１レンズ群Ｌ１の焦点距離をｆ１、第２レンズ群Ｌ２の焦点距離をｆ２、第３レンズ群Ｌ３の焦点距離をｆ３、第４レンズ群Ｌ４の焦点距離をｆ４とする。また、無限遠にフォーカスしているときにおける第２レンズ群Ｌ２の横倍率をβ２ｉｎｆ、撮影倍率が等倍となる物体距離に合焦しているときにおける（撮影倍率が−１倍）における第２レンズ群Ｌ２の横倍率をβ２ｍｏｄとする。また、無限遠にフォーカスしているときにおける第４レンズ群Ｌ４の横倍率をβ４ｉｎｆ、撮影倍率が等倍となる物体距離に合焦しているときにおける第４レンズ群Ｌ４の横倍率をβ４ｍｏｄとする。
【手続補正７】
【補正対象書類名】明細書
【補正対象項目名】００２７
【補正方法】変更
【補正の内容】
【００２７】
また、無限遠から至近距離へのフォーカシングに際しての第２レンズ群Ｌ２と第４レンズ群Ｌ４の移動量を各々ｍ２、ｍ４とする。移動量の符号は無限遠に合焦しているときと比較して至近距離に合焦しているときにレンズ群が像側へ移動する場合を正とする。このとき、次の条件式のうち１以上を満足するのが良い。